(57)【要約】【課題】  本発明は、撮像画像を効率的に検索、閲覧できる画像表示装置を提供することを目的とする。【構成】  撮像装置での撮像処理により撮像された画像データを記憶する記憶媒体２９と、記憶媒体２９に記憶された画像データを再生する表示部２４とを具備する画像表示装置において、  表示部２４に表示される前記画像データの表示領域とは異なる領域に、時間情報を表示するための時間情報表示領域を設け、前記時間情報表示領域内に選択状態にある時間帯に撮像された記憶媒体２９に記憶された画像データを、前記画像データの表示領域に表示する。【選択図】図２
2006203587.tif 000002
【特許請求の範囲】
【請求項１】
撮像装置での撮像処理により撮像された画像データを記憶する記憶媒体と、
前記記憶媒体に記憶された画像データを再生する表示部とを具備する画像表示装置において、
前記表示部に表示される前記画像データの表示領域とは異なる領域に時間情報を表示するための時間情報表示領域を設け、
前記時間情報表示領域内に選択状態にある時間帯に撮像された前記記憶媒体に記憶された画像データを、前記前記画像データの表示領域に表示することを特徴とする画像表示装置。
【発明の詳細な説明】
【技術分野】
【０００１】
本発明は、撮像装置で撮像された画像を表示可能な画像表示装置に関する。
【背景技術】
【０００２】
従来より、撮像画像を期間（年、月、日）ごとにカレンダー表示を行い、該カレンダー表示の中の期間（日にち等）の領域に該期間に撮像された画像を表示し、画像を効率的に閲覧するものがある。（例えば特許文献１）
【特許文献１】特開平１１−２１５４５７号公報
【発明の開示】
【発明が解決しようとする課題】
【０００３】
しかし、上述した従来例では、カレンダー表示の中の、さらに期間を表示する領域に、該期間に撮像された画像を表示しているために、表示される画像が小さくなり、画像が確認しずらくなってしまい、効率的に画像を検索、閲覧できるとは言い難い。
【０００４】
本発明は、撮像画像を効率的に検索、閲覧できる画像表示装置を提供することを目的とする。
【課題を解決するための手段】
【０００５】
撮像装置での撮像処理により撮像された画像データを記憶する記憶媒体と、前記記憶媒体に記憶された画像データを再生する表示部とを具備する画像表示装置において、前記表示部に表示される前記画像データの表示領域とは異なる領域に、時間情報を表示するための時間情報表示領域を設け、前記時間情報表示領域内に選択状態にある時間帯に撮像された前記記憶媒体に記憶された画像データを、画像データの表示領域に表示する。
【発明の効果】
【０００６】
本発明を適用した画像表示装置は、表示させる画像の期間を表示する領域と該期間に撮像された撮像画像を表示する領域とを異なる領域に表示するため、画像が確認しやすく効率的に撮像画像を検索および閲覧できる。
【発明を実施するための最良の形態】
【０００７】
以下、図面を用いて本発明を適用した実施の形態について説明する。
図１に本発明を適用したデジタルカメラ１の斜視図を示す。デジタルカメラ１は、レンズ一体型デジタルカメラである。
【０００８】
＜構成＞
デジタルカメラ１のカメラボディ上面には電源釦２、レリーズ釦３が配置されている。またカメラボディ背面には、モード切換スイッチ４、ズームスイッチ５、ファンクション釦６、リングセンサ７、決定釦８、メニュー釦９、削除釦１０、背面液晶１１が配置されている。
【０００９】
モード切換スイッチ４はスライド式の切換スイッチであり、本実施の形態ではカメラの動作モードの切換時に用いられる。ズームスイッチ５は、周知のワイドスイッチ（Wスイッチ）とテレスイッチ（Tスイッチ）の２つのスイッチからなる複合スイッチであり、撮像レンズのズーム倍率を変更する際等に用いられる。ファインクション釦６は、各カメラの動作モードで実行するファンクションメニューを表示するためのスイッチである。リングセンサ７は、圧力の変化を感知する圧力感知式のリング状タッチセンサが配置されたものであり、該センサを指等で時計回り（以後、右回りとする）又は半時計回り（以後、左回りとする）に操作する（なぞる）ことにより、メニューの選択表示や、選択されたAFエリアの選択表示等の選択項目の選択状態を示す選択枠等の表示をスクロール移動させる。
【００１０】
なお、リングセンサ７は、圧力感知式のリング状タッチセンサとしたが、リング形状に沿った回転操作を感知するものであればこれに限るものではない。例えば、リングセンサの素材を静電気による電気信号を感知する静電式のリング状タッチセンサとしても良く、また、リング状で回転可能に設置された回転ダイアルスイッチや、リング状にセンサもしくはスイッチを少なくとも5個以上配置したもの等でも良い。
【００１１】
リングセンサ７の下には押圧式のスイッチである上釦７a、下釦７ｂ、左釦７ｃ、右釦７ｄが配置されている。メニュー釦９は、デジタルカメラ１の動作設定を行うためのメニュー画面を背面液晶１１に表示させるためのスイッチである。釦削除１０は画像表示モードの際に背面液晶１１に選択表示されている撮像済み画像を削除するためのスイッチである。
【００１２】
＜ブロック＞
以下、本実施の形態におけるデジタルカメラ１の構成部材での基本的な処理についてブロック図を基に説明する。デジタルカメラ１のブロック図を図２に示す。
【００１３】
＜制御部＞
制御部２０は、ＣＰＵ等を含み上記接続された部材をコントロールする。
＜撮像及び画像処理＞
撮像素子２１は、不図示の撮像レンズにより結像した被写体像を電気信号に変換するＣＣＤやＣＭＯＳ等の固体撮像素子である。撮像素子２１は、制御部２０等の制御により、画像信号の読み出し等の制御や、電子シャッターの制御駆動等が行われる。撮像素子２１から読み出された画像信号は画像処理部２２に送られる。画像処理部２２に送られた画像信号は、ノイズ除去、Ａ／Ｄ変換、色補間処理、サイズ変更、符号化等の処理が必要に応じて行われ、背面液晶１１に表示する表示用画像データや、記録用画像データ等へ変換される。該記録用画像データは大容量記憶媒体２９に記憶され、表示用画像データは液晶制御部２３により背面液晶部２４に表示される。なお、記録用画像データを、ＥＥＰＲＯＭ２７や外部メモリ２８等に記憶するとしても良い。
【００１４】
＜記録処理＞
ＲＡＭ２５は、制御部２０及び画像処理部２２等が処理を行う際にデータの一時的な保存場所などに利用される。ＲＯＭ２６は、デジタルカメラ１の作動に必要なプログラム、該プログラムに使用する初期値等が保存されている。ＥＥＰＲＯＭ２７は、デジタルカメラ１の電源がＯＦＦされても記録情報を保持する内蔵フラッシュメモリである。ＥＥＰＲＯＭ２７には、デジタルカメラ１のユーザー設定やカスタム設定等の情報を記録する。外部メモリ２８は、記録用画像データ等を保存するための着脱可能なメモリーカードである。大容量記憶媒体２９は、画像データ等が保存可能な、ハードディスク等の大容量の磁気ディスクやDVD等の大容量の光ディスク等の記憶媒体である。
【００１５】
＜画像表示処理＞
液晶制御部２３は、制御部２０の指令により送られた表示用画像データを背面液晶部２４へ表示させる。背面液晶部２４は背面液晶１１およびドライバを含む。
【００１６】
＜操作部＞
操作部３０は、電源釦２、レリーズ釦３、動作モード切換スイッチ４、ズームスイッチ５、ファンクション釦６、リングセンサ７、決定釦８、メニュー釦９削除釦１０等を含む。
【００１７】
＜カメラの動作＞
以下デジタルカメラ１の動作について説明する。
本実施の形態におけるデジタルカメラ１は、ユーザーが設定した撮像処理条件により撮像動作及び撮像画像の処理を行う撮影モード、背面液晶部２４に表示されたメニュー画面を見ながら各種機能の設定を行うメニューモード、背面液晶部２４に撮影済みの記録用画像データ等を表示させる画像表示モードを持つ。撮影モード、メニューモードについては周知の処理であるため説明を省く。
【００１８】
以下、本発明を適用した本実施の形態における画像表示モードについて説明する。
＜画像表示モード＞
画像表示モードは、大容量記憶媒体２９に記録された記録済み画像データを背面液晶１１に表示するモードである。本実施の形態におけるデジタルカメラ１の画像表示モードには、撮像済み画像を背面液晶１１に1コマ表示する１コマ再生モードと、撮像済み画像を背面液晶１１に４コマ表示するサムネイル再生モードと、撮像済み画像を背面液晶１１に日時で分類し表示するカレンダー再生モードとがあり適宜切換て表示可能である。ここで、１コマ再生モードおよび４コマ再生モードでの撮像済み画像の表示については周知の手法であるため説明を略し、カレンダー再生モードについて説明する。
【００１９】
＜再生モードの切換処理＞
上述した３つの画像再生モード（１コマ再生モード、４コマ再生モード、カレンダー再生モード）の切り替えは、動作モードが画像表示モードの際にズーム釦５のワイド釦５a又はテレ釦５ｂが押圧操作されることにより切り換えられる。ワイド釦５aが押圧操作されるごとに１コマ再生モード〜４コマ再生モード〜カレンダー再生モードの順に画像再生モードが切り換り、テレ釦を５ｂが押圧操作されるごとにカレンダー再生モード〜４コマ再生モード〜１コマ再生モードの順に画像再生モードが切り換る。なお、カレンダー再生モードへの切換は、画像表示モードの際にファンクション釦６が押圧操作されることにより表示されるメニュー項目からカレンダー再生モードを選択することによっても切換可能である。
【００２０】
＜カレンダー再生モード＞
カレンダー再生モードの際の背面液晶１１へのカレンダー再生モード表示画面（以下カレンダー表示画面とする）の一例を図３に示す。
【００２１】
図３に示すごとく画面左側にはカレンダー表示領域４０が設けられており、年月表示領域４１に表示されている年月のカレンダーが表示されている。また表示画面左側のカレンダー表示領域４０の下部のファンクション領域４２には時間表示釦４２a、スライドショー釦４２ｂ、プリント釦４２ｃ等の機能切換釦が表示される。なおカレンダー表示領域４０内の示される選択枠１００は、選択枠１００により囲まれた日が選択されていることを示す枠表示である（図３においては２００４年１２月３日が選択されていることを示す）。選択枠１００については後述する。カレンダー表示画面右側には、選択枠１００により選択されている日に撮像された撮像済み画像データが表示される選択画像表示領域４３が設けられている。選択画像表示領域４３に表示されている記録済み画像の周辺には該記録済み画像の撮像日時、撮像条件（記録画質、シャッター速度、絞り値、焦点距離）、画像ファイル名等が表示可能な表示画像データ領域４４や、選択枠１００により選択されている日に撮像された撮像済み画像データの総枚数等を示す日情報表示領域４５が設けられる。
【００２２】
＜カレンダー再生モードでの処理＞
カレンダー再生モードに入ると、年月表示領域４１には現在の年月（図３では２００４年１２月）が表示され、カレンダー表示領域４０には現在の月（３月）のカレンダーが表示される。また、選択枠１００が現在の日にち（図３では３日）を囲む状態で表示される。選択画像表示領域４３には選択枠１００により選択されている日（図３では３日）に撮像された撮像済み画像データのうちで初めに撮像された画像が表示される。また、選択画像表示領域４３に表示されている撮像済み画像の周辺の表示画像データ領域４４には該撮像済み画像データが表示される。また、日情報表示領域４５には、撮像済み画像のうち選択枠１００で選択された日付に撮影された画像の総数（図３では１００枚）が表示される。
【００２３】
＜枠表示による項目の選択＞
ユーザーは、上釦７a、下釦７ｂ、左釦７ｃ、右釦７ｄを押圧操作することにより、選択枠１００を、年表示領域４１a、月表示領域４１ｂ、カレンダー表示領域４０、ファンクション領域４２、選択画像表示領域４３に移動できる。また、前記各領域に選択枠１００がある際に、リングセンサ７を右回り又は左回りに操作することにより各領域においの選択項目を変更できる。各領域における選択項目は、月表示領域４１aにおいては月、年表示領域４１ｂにおいては年、カレンダー表示領域４０においては日、ファインクション領域４２においては時間選択釦表示４２aとスライドショー釦表示４２ｂとプリント釦表示４２ｃの３つ、選択日画像表示領域においては、撮像済み画像である。
【００２４】
つまり、ユーザーは、上釦７a、下釦７ｂ、左釦７ｃ、右釦７ｄを上下左右に押圧操作することにより選択枠１００を任意の上記領域に移動させ、リングセンサ７を右回りまたは左回りに操作することにより各領域での選択項目を変更することができる。
【００２５】
＜各項目における処理＞
選択枠１００が年表示領域４１aにある際について説明する。選択枠１００が年表示領域４１aにある状態のカレンダー表示画面を図４に示す。選択枠１００は、選択枠１００がカレンダー表示領域４０にある際に上釦７aを押圧操作する、もしくは、選択枠１００が月表示領域４１ｂにある際に左釦７ｃを押圧操作することにより月表示領域４１aに移動される。年表示領域４１aでの選択項目は「年」である。月表示領域４１aには現在選択されている年が表示されている。選択枠１００内に表示されている選択年は、リングセンサ７の右回りの操作に応じて適宜次に年に、またリングセンサ７の左回りの操作に応じて適宜前の年ンに変更され表示が切り換る。
【００２６】
選択枠１００が月表示領域４１ｂにある際について説明する。選択枠１００が月表示領域４１ｂにある状態のカレンダー表示画面を図５に示す。選択枠１００は、選択枠１００が月表示領域４１aにある際に右釦７ｄを押圧操作することにより月表示領域４１ｂに移動される。月表示領域４１ｂでの選択項目は「月」である。選択枠１００内に表示されている選択月は、リングセンサ７の右回りの操作に応じて適宜次に月に、またリングセンサ７の左回りの操作に応じて適宜前の月に変更され表示が切り換る。
【００２７】
なお、上記のごとく年および月が変更されると適宜、カレンダー表示領域４０に表示されるカレンダーが、年月表示領域４１に表示されている年月のカレンダーに更新される。
また、選択枠１００が、年表示領域４１aまたは月表示領域４１ｂにある際には選択枠１００内に現在選択されている年または月が表示されている。
【００２８】
選択枠１００がカレンダー表示領域４０にある際について説明する。選択枠１００がカレンダー表示領域４０にある状態のカレンダー表示画面を図３に示す。選択枠１００は、選択枠１００が月表示領域４１ｂにある際に下釦７ｂを押圧操作する、もしくは、選択枠１００がファンクション領域４２にある際に上釦７aを押圧操作する、又は選択枠１００が選択日選択日表示領域４３にある際に左釦７ｃを押圧操作することによりカレンダー表示領域４０に移動される。カレンダー表示領域４０での選択項目は「日」である。選択されている日は選択枠１００により囲まれる。選択枠１００はリングセンサ７の右回りの操作に応じて適宜次に日に、またリングセンサ７の左回りの操作に応じて適宜前の日に変更され表示される。なお、リングセンサ７を操作して選択枠１００により選択される日にちを変更する際に、撮像された画像が無い日とばしても良い。例えば、４日に撮像された画像が無く、３日、５日に撮像された画像があり現在３日が選択されている（３日に選択枠１００が表示されている）状態にある際に、リングセンサ７を右回りに操作すると選択枠１００は、４日をとばして３日から５日に変更される。これによりユーザーは撮像画像がある日のみを素早く検索可能となる。
【００２９】
また、上記のごとく選択されている日が変更されると、日が選択されてから所定時間Ｓ経過後に撮像済み画像のうちの選択された日に初めに撮影された画像が選択画像表示領域４３に表示される。これにより、リングセンサ７を光束に操作し連続的に選択日が変化する場合であっても、選択画像表示領域４３に表示される撮像済み画像が素早く切り換り画面がちらつくこともなく、連続的に表示される画像の読み込みや表示処理による処理速度の低下を低減し、選択日の変更操作がスムーズに行われる。なお所定時間Ｓはユーザーにより任意に設定可能である。また所定時間Ｓは０に設定可能であり、この場合は日が選択されるとすぐに選択画像表示領域４３に選択された日の画像が表示される。
【００３０】
なお、任意の日（図３では３日）が選択１００により選択表示（囲まれている）されている際に上釦７a、下釦７ｂ、右釦７ｄを押圧操作し、選択枠１００を他の領域に移動させると、選択枠１００により選択されていた日（図４では３日）に日選択枠１０１が表示され、選択されている日がユーザーにより認識可能となる。さらに他の領域から選択枠１００がカレンダー表示領域４０に移動された際には、日選択枠１０１が表示されている日に選択枠１００が置き換わり表示される。
【００３１】
選択枠１００が選択画像表示領域４３にある際について説明する。選択枠１００が選択画像表示領域４３にある状態のカレンダー表示画面を図７に示す。選択枠１００は、選択枠１００がカレンダー表示領域４０にある際に右釦７ｄを押圧操作することにより選択画像表示領域４０に移動される。選択画像表示領域４３での選択項目は「撮像済み画像」である。選択されている撮像済み画像は選択枠１００により囲まれ１コマ表示される。選択枠１００内に表示されている撮像済み画像はリングセンサ７の右回りの操作に応じて適宜次に画像に、またリングセンサ７の左回りの操作に応じて適宜前の画像に変更され表示される。
【００３２】
上述では選択画像表示領域４３に１コマの画像が表示される場合について説明したが、選択画像表示領域４３に複数の撮像済み画像を表示するとしても良い。選択画像表示領域４３に２コマの画像が表示される場合について説明する。選択画像表示領域４３に２コマの撮像済み画像が表示された状態にあるカレンダー表示画面を図８に示す。選択枠１００は、選択枠１００がカレンダー表示領域４０にある際に右釦７ｄを押圧操作することにより選択画像表示領域４０に移動される。選択画像表示領域４３での選択項目は「撮像済み画像」である。選択されている撮像済み画像は選択枠１００により囲まれ表示される。選択枠１００内に表示されている撮像済み画像はリングセンサ７の右回りの操作に応じて適宜次に画像に、またリングセンサ７の左回りの操作に応じて適宜前の画像に変更され表示される。なお、任意の画像（図７ではDSCN００２４）が選択１００により選択表示（囲まれている）されている際に左釦７ｃを押圧操作し、選択枠１００をカレンダー表示領域４０に移動させると、選択枠１００により選択されていた画像（図７ではDSCN００２４）に画像選択枠１０２が表示され、選択されている画像がユーザーにより認識可能となる。さらにカレンダー表示領域４０から選択枠１００が選択画像表示領域４３に移動された際には、画像選択枠１０２が表示されている画像に選択枠１００が置き換わり表示される。
【００３３】
選択枠１００がファンクション領域４２にある際について説明する。選択枠１００がファンクション領域４０にある状態のカレンダー表示画面を図６に示す。選択枠１００は、選択枠１００がカレンダー表示領域４０にある際に下釦７ｂを押圧操作することによりファンクション領域４０に移動される。ファンクション領域４０での選択項目は時間選択釦表示４２aおよびスライドショー釦表示４２ｂ、プリント釦表示４２ｃである。選択される釦表示は、リングセンサ７の右回り又は左回りの操作に応じて適宜時間選択釦表示又はスライドショー釦表示に選択枠１００が変更される。選択されている釦表示は選択枠１００により囲まれる。時間選択釦表示４２aに選択枠１００が表示されている際に、決定釦８を押圧操作することにより、時間選択表示に切換られる。時間選択表示については後述する。スライドショー釦表示４２ｂに選択枠１００が表示されている際に、決定釦８を押圧操作することにより、スライドショー表示に切換られる。スライドショー表示では、カレンダー表示領域４０の日選択枠１０１が表示されている日に撮像された撮像済み画像データを用いて周知のスライドショー再生が行われる。プリント釦表示４２ｃ釦表示に選択枠１００が表示されている際に、決定釦８を押圧操作することにより、選択画像表示領域４３の画像選択枠１０２が表示されている撮像済み画像のプリント設定がおこなわれる。プリント設定が行われた撮像済み画像は、デジタルカメラ１がプリンターと接続された際に印刷可能となる。
【００３４】
なお上述したファンクション領域４２での選択項目を、ファンクション釦６を押圧操作することにより表示されるメニュー項目に表示し、該表示されたメニュー項目より上述した時間選択表示への切換、スライドショーの開始、プリント設定を行うとしても良い。
【００３５】
なお上述では、各領域においてのどの項目が選択されているかをユーザーに認識可能とするために選択枠１００を用いたが、ユーザーが選択されている項目が認識可能であればこれに限るものではない。例えば、選択されている項目を他の選択されていない項目に対し色や、表示方法を変更するとしても良い。例えば、選択枠１００が月表示領域に移動した際は、選択枠１００を非表示とし、月がリングセンサ７の操作により変更可能であることを示す三角マーク１０３のみを表示するとしても良い。
【００３６】
＜時間選択表示領域＞
時間選択表示について説明する。背面液晶１１に表示されているカレンダー表示領域４０が時間選択表示を表示するための時間選択表示領域５０に切り換り表示されている様子を図９に示す。
【００３７】
時間選択表示では、上述したように、選択枠１００がファインクション領域４２の時間選択釦表示４２aに表示されている際に決定釦８を押圧操作することにより、背面液晶１１に表示されるカレンダー再生画面のカレンダー表示領域４０が時間選択表示領域５０に切り換り表示される。
【００３８】
上述したカレンダー表示領域４０が表示されている状態と異なる点は、カレンダー表示領域４０が時間選択表示領域５０に切り換り表示される点、年月表示領域４１が年月日表示領域５１に切り換り表示される点、およびファンクション領域４２の時間選択釦表示４２ｄがカレンダー釦表示４２ｄに切り換り表示される点である。また、年月日表示領域には、年月表示領域４１およびカレンダー表示領域４０により選択されていた年月日が表示される。また、上述と同様にユーザーが上釦７a、下釦７ｂ、左釦７ｃ、右釦７ｄを押圧操作することにより、選択枠１００を、時間選択表示領域５０、ファンクション領域５２、選択画像表示領域４３に移動可能であるが、年月日表示領域５１に選択枠１００を移動することはできない。また、リングセンサ７による各領域の選択項目の変更処理も上述の場合と同様である。時間選択表示領域５０での選択項目は「時間」である。
【００３９】
時間選択表示領域５０内にはアナログ時計５０aと選択時間表示５０ｂが表示される。
上述では、カレンダー表示領域４０および年月表示領域４１により選択した年月日に撮像された画像を選択画像表示領域４３に表示したが、時間選択表示では、年月日表示領域５１に示された年月日（図１２では２００４年１２月３日）に撮影されて撮像済み画像の内の、時間選択表示領域５０に表示されるアナログ時５０aに示された選択領域５０ｃにより選択された時間帯に撮像された画像を選択画像表示領域４３に表示する。年月日表示領域５１に表示される年月日は、年月表示領域４１およびカレンダー表示領域４０の日選択枠１０１により示された年月日が表示される。
【００４０】
時間選択枠５０ｃにより表示された時間領域の選択法は、２４時間を所定の時間間隔の領域に区切り、該区切られた核領域をユーザーが任意に選択することにより、該選択された領域の時間間隔内に撮像された画像を表示する定区分選択と、表示する時間帯をユーザーが任意に指定する指定区分選択との２通りある。該２つの選択方法は、選択枠１００が時間選択領域５０にある際に、上釦７aを押圧操作することにより切換可能である。
【００４１】
＜定区分選択＞
定区分選択による、時間領域の選択について説明する。定区分選択法の際のカレンダー再生画面を図９に示す。選択時間表示５０aには、２４時間を何時間間隔で区切るかを示す選択時間間隔がしめされている（図９では２時間間隔）。アナログ時計表示５０aには現在選択されている時間間隔（図９ではPM０：００以降〜２：００未満の２時間）が時間選択枠５０ｃにより示される。時間選択枠５０ｃはリングセンサ７を右回りに操作することにより次の時間間隔（図９ではPM２：００以降〜４：００未満の２時間）へ、左回りに操作することにより前の時間間隔（図９ではAM１０：００以降〜PM０：００未満の２時間）へ移動できる。
【００４２】
また、選択時間表示５０ｂにもしめされる、選択時間間隔（図９では２時間）はユーザーにより任意に変更可能である。選択時間間隔は、選択枠１００が時間選択領域５０にある際に、ファンクション釦６を押圧操作することにより表示されるメニューより変更できる。
【００４３】
＜指定区分選択法＞
指定区分選択による、時間領域の選択について説明する。指定区分選択法の際のカレンダー再生画面を図１０〜図１２に示す。
【００４４】
指定区分選択法に切り換ると、まず、選択する時間間隔の開始時間の決定を行う。図１０に示すように、選択枠１００が選択時間表示５０ｂの選択領域開始時間に移り、この際にリングセンサ７を左および右回りに操作することにより選択する時間領域の開始時間を選択できる。現在選択されている開始時間は選択時間表示５０ｂに数値で表示されるとともにアナログ時計表示５０aにも開始時間針５０ｄにより示される。なお、開始時間針５０ｄは、アナログ時において時間を示す長針の役割を成している。リングセンサ７を左回りに操作することにより開始時間針５０ｄを時計回りに、右回りに操作することにより開始時間針５０ｄを半時計回りに回転させ任意の時間に設定できる。決定釦８を押圧操作することにより開始時間針５０ｄおよび選択時間表示５０ｂに示された時間が開始時間に設定され、終了時間の設定に移る。
【００４５】
図１１に示すように、選択枠１００が選択時間表示５０ｂの終了時間領域に移り、この際にリングセンサ７を左および右回りに操作することにより選択する時間領域の終了時間を選択できる。現在選択されている終了時間は選択時間表示５０ｂに数値で表示されるとともにアナログ時計表示５０aにも終了時間針５０eにより示される。なお、終了時間針５０eは、開始時間針５０ｄと同様に、アナログ時において時間を示す長針の役割を成しており、初めは開始時間針と重なった状態で表示される。リングセンサ７を左回りに操作に応じて終了時間針５０eは時計回りに回転すると共に、該終了時間針５０eに示された時間が選択時間表示５０ｂに数値で表示にされる。リングセンサ７を右回りに操作することにより終了時間針５０eを半時計回りに回転すると共に、該終了時間針５０eに示された時間が選択時間表示５０ｂに数値で表示される。またこの際、選択画像表示領域４３には、図１１に示すごとく、開始時間針５０ｄと終了時間針５０eとの間の選択領域５０ｆに示される時間帯に撮像された画像のうち最も時間が古い画像が、領域４３aに、最も新しい画像が領域４３ｂに表示される。つまり、終了時間針５０eを開始時間針５０ｄと重なった状態から回転させて行くとすると、領域４３ｂに表示された時間帯に撮像された画像が無い場合は、図１０に示すごとく選択画像表示領域４３には画像が表示されず、領域４３ｂに表示された時間帯に撮像された画像が一枚以上ある場合は、その内もっとも古い時間に撮像された画像が領域４３aに表示され、最も新しい時間に撮像された画像が領域４３ｂに表示されるように領域５０ｆにより選択された時間帯に応じて変更されていく。
【００４６】
決定釦８を押圧操作することにより終了時間針５０eおよび選択時間表示５０ｂに示された時間が終了時間に設定され、選択時間の設定が終了し選択枠１００がアナログ時計表示５０aに戻る（図１２参照）。この際に選択画像表示領域４３の領域４３ｂに表示される画像が領域４３aに表示されている画像の撮像時間より次に新しい時間に撮像された画像に切り換り表示される。なお、上述したように終了時間の決定時に選択画像表示領域４３ｂに表示された画像を領域４３aに表示されている画像の撮像時間より次に新しい時間に撮像された画像に切り換えて表示させたが、終了時間決定時には領域４３ｂに表示されている画像を変更せずに、選択枠１００を選択画像表示領域４３に変更した際に４３ｂに表示させる画像を変更するとしても良い。時間選択表示領域５０をカレンダー表示領域４０に切り換えるには、選択枠１００をファンクション領域４２に移動し、カレンダー釦表示４２ｄに選択枠１００に表示させた状態で決定釦８を押し圧操作することにより切換可能である。
【００４７】
＜デジタルカメラの基本フロー＞
デジタルカメラ１の基本処理についての図１３に示すフロー図を基に説明する。
デジタルカメラ１の電源がオンされると、まず、ステップS１０１でカメラの起動処理が行われる。起動処理とは撮像素子２１や、制御部２０等の電気回路の起動および撮像レンズの駆動等の初期処理である。次にステップS１０２〜S１０４により現在どの動作モードに設定されているかが判定される。動作モードに静止画撮像モードが設定されている場合はステップS１０５へ移り静止画撮像処理が行われる。動作モードに動画撮像モードが設定されている場合はステップS１０６へ移り動画撮像処理が行われる。動作モードに画像表示モードが設定されている場合はステップS１０７へ移り画像表示処理が行われる。動作モードにメニューモードが設定されている場合はステップS１０８へ移りメニュー処理が行われる。各動作モードでの各処理（ステップS１０５〜S１０８）中に、デジタルカメラの電源をOFFされる、又は動作モードが変更される又は、使用ユーザーが変更されると各処理が終了しステップS１０９へ移る。ステップS１０９では、デジタルカメラ１の電源がOFF操作されたか否かの判定が行われる。電源がOFF操作された場合は、終了処理をおこないデジタルカメラ１の電源をOFFし終了する。電源がOFF操作されていない場合はステップS１０２へ戻る。
【００４８】
＜カレンダー再生処理のフロー＞
デジタルカメラ１の画像再生モードでのカレンダー再生モードでの処理についての図１４に示すフロー図を基に説明する。
【００４９】
カレンダー再生モードに入ると、まず、ステップS２０１で背面液晶１１にカレンダー表示画面を表示する（図３参照）。なおカレンダー再生モードに入った初期状態では選択枠１００はカレンダー表示領域４０にあり、現在の日付けを示す日（図３では３日）が選択されている。次にステップS２０２ではリングセンサ７に設けられた上釦７a、下釦７ｂ、左釦７ｃ、右釦７ｄのいずれかが押圧操作されたか否かの判定を行う。上釦７a、下釦７ｂ、左釦７ｃ、右釦７ｄのいずれかが押圧操作された場合はステップS２０３へ移り、上釦７a、下釦７ｂ、左釦７ｃ、右釦７ｄのいずれかが押圧操作されていない場合はステップS２０４へ移る。ステップS２０３では、上釦７a又は下釦７ｂ又は左釦７ｃ又は右釦７ｄの押圧操作に応じて選択枠１００を現在ある表示領域から他の表示領域へ移動させる。なおここで表示領域とは年領域４１a、月表示領域４１ｂ、カレンダー表示領域４０、ファンクション表示領域４２、選択画像表示領域４３のことである。
【００５０】
ステップS２０４でリングセンサ７が左又は右回りに回転操作されたか否かの判定を行う。リングセンサ７が回転操作されている場合はステップS２０５へ移り、リングセンサ７が回転操作されていない場合はステップS２０６へ移る。ステップS２０５ではリングセンサ７の操作に応じて、現在選択枠１００が表示されている表示領域で、選択枠１００により囲まれる選択項目を変更する。
【００５１】
ステップS２０６では、決定釦８が押圧操作されたか否かの判定が行われる。決定釦８が押圧操作された場合はステップS２０７へ移り、決定釦８が押圧操作されていない場合はステップS２１３へ移る。ステップS２０７では、現在選択枠１００がファンクション領域４２にあるか否かの判定が行われる。現在選択枠１００がファンクション領域に４２に表示されている場合はステップS２０８へ移り、現在選択枠１００がファンクション領域に４２に表示されていない場合はステップS２１３へ移る。ステップS２０８では、ファンクション領域ないに表示されている選択枠１００が時間選択釦表示４２aまたはカレンダー釦表示４２ｄに表示されているか否かの判定がおこなわれる。選択枠１００が時間選択釦表示４２aまたはカレンダー釦表示４２ｄに表示されている場合はステップS２１０へ移り、選択枠１００が時間選択釦表示４２aまたはカレンダー釦表示４２ｄに表示されていない場合はステップS２０９へ移る。ステップS２１０では、選択枠１００がカレンダー表示領域４２aに表示されていた場合は、カレンダー表示領域４０の表示をやめて時間選択表示領域５０の表示に切換え、選択枠１００が時間選択表示領域４２ｄに表示されていた場合は、時間選択表示領域５０の表示をやめてカレンダー表示領域４０の表示に切り換える。ステップS２１０の表示の表示領域の切り替えが終わるとステップS２１３へ移る。
【００５２】
ステップS２０９では、ファンクション領域ないに表示されている選択枠１００がスライドショー釦表示４２ｂに表示されているか否かの判定がおこなわれる。選択枠１００がスライドショー釦表示４２ｂに表示されている場合はステップS２１１へ移り、選択枠１００がスライドショー釦表示４２ｂに表示されていない場合はステップS２１２へ移る。ステップS２１１では、現在カレンダー表示領域４０によりしめされる日にちに撮像された画像又は時間選択表示領域５０によりしめされる時間帯に撮像された画像を元にしたスライドショー処理が行われる。ステップS２１１でのスライドショー処理が終了するとステップS２１３へ移る。ステップS２１２では選択画像表示領域４３に表示されている画像選択枠１０２により選択されている画像の印刷設定を行う。ステップS２１２での印刷設定が終了するとステップS２３１へ移る。
【００５３】
ステップS２１３ではカレンダー再生モードを終了させる処理がされたか否かの判定が行われる。なおここでカレンダー再生モードを終了する処理とは、異なる表示モードに変更された時や動作モードが変更された時、電源OFF操作がされた時等である。カレンダー再生モードを終了させる処理がされた場合はカレンダー再生モードを終了し、カレンダー再生モードを終了させる処理がなされていない場合はステップS２０２へ戻る。
【００５４】
以上本発明を適用した実施の形態を適用したデジタルカメラ１について説明したがこれに限るものではなく、以下変化例について説明する。
上述では、上釦７a、下釦７ｂ、左釦７ｃ、右釦７の押圧操作により、選択枠１００を任意の領域に移動させ、リングセンサ７を左または右回りに操作することにより各領域での選択項目を変更したが、各領域での選択項目の変更方法はこれに限るものではない。
【００５５】
例えば、カレンダー再生モードでは、リングセンサ７を、選択画像表示領域４３に表示される撮像済み画像の変更のみに用いるとしても良い。この場合は、選択枠１００は選択画像表示領域には移動できなくし、選択枠１００のカレンダー表示領域４０、年月表示領域４１、ファンクション領域４２の各領域間の移動は、レリーズ釦３等の釦を押圧操作するごとに各領域間をサイクリックに移動するとする。カレンダー表示領域４０、年月表示領域４１、ファンクション領域４２での選択項目の変更は、上釦７a、下釦７ｂ、左釦７ｃ、右釦７を用いて変更する。
【００５６】
また、上述ではリングセンサ７の下に押圧式のスイッチである上釦７a、下釦７ｂ、左釦７ｃ、右釦７の代わりに十字キーを設け、上述での上釦７a、下釦７ｂ、左釦７ｃ、右釦７に割り当てた処理を該十字キーの上、下、左、右釦に割り当てるとしても良い。なお十字キーとは少なくとも4方向に接点を持った周知の十字スイッチや、レバー状の部材を上下左右に倒すことにより少なくとも４方向に入力可能な操作部材等を含む。
【００５７】
以上本発明をレンズ一体型デジタルカメラ１に適用した実施の形態について説明したが、本発明を適用するデジタルカメラはこれに限るものではなく、レンズ交換式デジタルカメラや、デジタルビデオカメラ等の撮像装置や、画像を再生可能な画像再生装置等に本発明を適用しても良い。
【図面の簡単な説明】
【００５８】
【図１】本発明を適用したデジタルカメラ１の斜視図
【図２】デジタルカメラのブロック図
【図３】カレンダー再生モード表示画面例（カレンダー表示）
【図４】カレンダー再生モード表示画面例（カレンダー表示）
【図５】カレンダー再生モード表示画面例（カレンダー表示）
【図６】カレンダー再生モード表示画面例（カレンダー表示）
【図７】カレンダー再生モード表示画面例（カレンダー表示）
【図８】カレンダー再生モード表示画面例（カレンダー表示）
【図９】カレンダー再生モード表示画面例（時間選択表示）
【図１０】カレンダー再生モード表示画面例（時間選択表示）
【図１１】カレンダー再生モード表示画面例（時間選択表示）
【図１２】カレンダー再生モード表示画面例（時間選択表示）
【図１３】デジタルカメラ１の基本処理についてのフロー図
【図１４】デジタルカメラ１のカレンダー再生モード処理を示すフロー図
【符号の説明】
【００５９】
１  デジタルカメラ
２  電源釦
３  レリーズ釦
４  モード切換スイッチ
５  ズームスイッチ
６  ファンクション釦
７  リングセンサ
８  決定釦
９  メニュー釦
１０  削除釦
１１  背面液晶
２０  制御部
２１  撮像素子
２２  画像処理部
２３  液晶制御部
２５  RAM
２６  ROM
２７  EEPROM
２８  外部メモリ
２９  大容量記憶媒体
３０  操作部
１００  選択枠
【図１】
2006203587.tif 000003
【図２】
2006203587.tif 000004
【図３】
2006203587.tif 000005
【図４】
2006203587.tif 000006
【図５】
2006203587.tif 000007
【図６】
2006203587.tif 000008
【図７】
2006203587.tif 000009
【図８】
2006203587.tif 000010
【図９】
2006203587.tif 000011
【図１０】
2006203587.tif 000012
【図１１】
2006203587.tif 000013
【図１２】
2006203587.tif 000014
【図１３】
2006203587.tif 000015
【図１４】
2006203587.tif 000016